(57)【要約】【課題】カラー発光するヘッドホンを提供する。【解決手段】電子制御板１１と、接続端子１２と、ヘッドホン発光線材１３と、発光イヤホンまたはイヤーカップ１４とによって構成する。前記電子制御板１１上部のチップ１１１によって制御し、音源の周波数、または音量の大きさ、あるいは一定周期などの種々の態様で発光部品１１２，１１３，１１４，１１５に発光させ、ヘッドホン発光線材１３、制御板透光上蓋１１６、制御板透光下蓋１１７を経由して周囲に発光する。【選択図】図１
0003103456.tif 000002
【実用新案登録請求の範囲】
【請求項１】
イヤホンまたはイヤーカップなどの内部に収納した制御板に発光部品を設け、ヘッドホンの接続線及びイヤホン又はイヤーカップを覆う透光材により導光して、制御板のチップにより発光部品の発光光源を変化させながら、これらを発光させることを特徴とするカラー発光するヘッドホン。
【請求項２】
音源の周波数、音量の大きさまたは一定のパターンによって光源の発光を変化させることができるようにして成ることを特徴とする請求項１に記載のカラー発光するヘッドホン。
【請求項３】
ヘッドホン発光線材内に金属粉粒またはその他の発光材を加え、それにより発光線材における光源の拡散効果を増加させてなることを特徴とする請求項１に記載のカラー発光するヘッドホン。
【請求項４】
電気回路制御板の作動に必要な電力を、制御板上に設けられている電池から供給することにより制御板上の発光部品を動作させることを特徴とする請求項１に記載のカラー発光するヘッドホン。
【請求項５】
発光するヘッドホンがオーバーヘッドタイプのヘッドホン又はバックヘッドタイプのヘッドホンであり、接続線や発光イヤーキャップを発光させることを特徴とする請求項１に記載のカラー発光するヘッドホン。
【請求項６】
発光するヘッドホンが大型騒音防止カラー発光ヘッドホンであり、前記ヘッドホン上におけるヘッドバンド警告表示灯、イヤーキャップ、またはヘッドホンの接続線を一定周期できらきらと光る光りを発生させることを特徴とする請求項１に記載のカラー発光するヘッドホン。
【考案の詳細な説明】
【技術分野】
【０００１】
本考案は、一般の携帯式のヘッドホンを改良したもので、ヘッドホンの構造内における独立した部分に多くのカラー発光体を設けることができ、さらに使用状態によって任意に設定した発光形態とすることができ、ヘッドホンの発光体を音源の周波数、または独立の固定された速度に従ってきらきらと光らせることができ、また周囲に存在を示すという安全機能を有するヘッドホンに関わる。
【背景技術】
【０００２】
一般に売られているイヤホンや騒音防止イヤーカップは、ただ音声を伝達したり、騒音を防止する効果を具有するのみであるが、本考案の新しい設計は、ヘッドホンの本体上に一つの電子回路を設置し、イヤホンからの音源の周波数、音量の大きさを利用し、マルチカラー、または単色の光源を変化させるものであり、一方では、周囲の人間にヘッドホン使用者の存在をはっきりと示すことができ、明らかに発光による安全機能を有し、その発光部位はイヤホンまたはイヤーカップ、ヘッドホンの接続線、イヤーフックまたはアーム等であり、それにより例えば、夜間にマラソンをする人間が本考案のヘッドホンを使用した場合、周囲に自分の存在を示すことができ、車の運転者は遠くからでもヘッドホン使用者の存在を確認することができる。さらに、例えば、飛行場の地上勤務の作業員、トンネル工事の作業員、または夜間における道路工事の作業員が仮に騒音防止大型カラー発光イヤーカップを使用した場合、同一場所にいる機具の使用者に存在位置を示すことができ、明らかに安全機能を具有する。
【０００３】
カラー発光ヘッドホンには多種の形式があり、例えば発光方式は、音声の周波数、音量の大きさ、または固定された方式によりきらきらと光を発生させる設計があり、使用者はそれを自由に設定することができ、発光位置も使用者が自由に選択することができ、例えば、ヘッドホンのイヤホンまたはイヤーカップ、ヘッドホンの接続線、イヤーフック、アームまたは大型騒音防止ヘッドホンのヘッドバンド部などとすることができ、発光の色も製品によって、単色、複数色、またはマルチカラーなどの形式があり、発光源もランプまたはLED部品によって構成することができる。
【考案の開示】
【考案が解決しようとする課題】
【０００４】
本考案の目的は、カラー発光するヘッドホンを提供することである。
【課題を解決するための手段】
【０００５】
前記課題を解決するために、
請求項１の考案は、カラー発光するヘッドホンであり、
発光イヤホンまたはイヤーカップ、制御板内に発光部品が設けられており、ヘッドホンの接続線は透光材で覆われており、それにより導光効果を具有し、さらに制御板のチップにより光源が変化しながら発光することを特徴とするカラー発光するヘッドホンである。
【０００６】
請求項２の考案は、音源の周波数、音量の大きさまたは固定された方式によって光源を変化させることができることを特徴とする請求項１に記載のカラー発光するヘッドホンである。
【０００７】
請求項３の考案は、ヘッドホン発光線材内に金属粉粒またはその他発光材を加えることができ、それにより発光線材における光源の拡散効果を増加させることを特徴とする請求項１に記載のカラー発光するヘッドホンである。
【０００８】
請求項４の考案は、電気回路制御板が必要な電力は、制御板上に設けられている電池セットから供給することができ、それにより制御板上の発光部品を作動させることを特徴とする請求項１に記載のカラー発光するヘッドホンである。
【０００９】
請求項５の考案は、発光構造をオーバーヘッドタイプのヘッドホンやバックヘッドタイプのヘッドホン上に適用することができ、それにより発光線材や発光イヤーキャップを発光させることを特徴とする請求項１に記載のカラー発光するヘッドホンである。
【００１０】
請求項６の考案は、発光構造を大型騒音防止カラー発光ヘッドホン上に応用することができ、それにより前記ヘッドホン上におけるヘッドバンド警告表示灯、イヤーキャップ、またはヘッドホンの接続線に固定された周期できらきらと光る光を発生させることを特徴とする請求項１に記載のカラー発光するヘッドホンである。
【考案の効果】
【００１１】
本考案により、暗い環境において使用した場合、お洒落で、尚且つ周囲に存在を示すことができる、安全機能を具有するヘッドホンを提供することができた。
【考案を実施するための最良の形態】
【００１２】
図１，２に示すように、本考案のカラー発光するヘッドホン１は、電子制御板１１と、接続端子１２と、ヘッドホン発光線材１３と、発光イヤホンまたはイヤーカップ１４とによって構成されている。
【００１３】
前記ヘッドホン発光線材１３は、ヘッドホン発光線材１３内芯１３１の外面であり、ヘッドホン線透光材１３２によって覆われており、それにより導光効果を具有する。
【００１４】
前記電子制御板１１には、その上部にチップ１１１、および複数の発光部品１１２，１１３，１１４，１１５が固定されており、音源の周波数、または音量の大きさによってきらきらと光る光源を発生させることができ、ヘッドホン発光線材１３、制御板透光上蓋１１６、制御板透光下蓋１１７を経由し、光を放出する。
【００１５】
図３に示すように、前記電子制御板１１の発光部品１１２，１１３，１１４，１１５は、入力される音声の周波数、音量の大きさに従ってきらきらと光る発光を変化させることや、一定の周期で単色または複数色の光をきらきらと光らせる効果を具有させることができ、さらにヘッドホン発光線材内に金属顆粒を入れ、それにより発光部品１１２，１１３，１１４，１１５から発生する光源がヘッドホン発光線材１３の透光材１３２に投射されることにより、光の拡散効果を増加させることができる。本考案における光源発光の制御に関する原理については、図８のブロック図に示す。
【００１６】
図８の制御回路のブロック図に示すように、前記電子制御板１１上の電子電気回路チップ１１１および数個の発光部品１１２，１１３，１１４，１１５においては、ヘッドホン発光線材１３が提供する音声信号が電子電気回路チップ１１１に入力された後、制御回路によって信号源の異なる周波数、音量の大きさを区分し、それぞれ発光部品１１２，１１３，１１４，１１５等を光らせる明るさや時間を制御する。発光部品１１２，１１３，１１４，１１５等が発生する光源は、ヘッドホン発光線材１３の透光材１３２を覆っている導光材料の光伝導効果、または直接制御板１１の制御板透光上蓋１１６、制御板透光下蓋１１７が元々透光材料を成形した光線を伝導する特性によって、更にこれらを経てカラー光線の発光が可能である。電子制御板１１は電池１１８を付属させる設計にするか、または音源の電力を電力の供給源とする設計にすることができる。
【００１７】
図４は本考案における各種のヘッドホン自身の発光イヤホンまたはイヤーカップ１４の詳細構造であり、発光部品１４２の電気回路板１４１と、透光蓋体１４３と、スピーカー１４４とが設けられており、イヤーカップ部分に同様に発光機能を具有することができ、必要時は海綿（スポンジ）体１４５等の部品を加えることができる。
【００１８】
本考案を実施するとき、図５，６に示すようにオーバーヘッドタイプヘッドホン２、およびバックヘッドタイプヘッドホン３に仕込むことができ、それは発光線材１３、および発光イヤーカップ２３を含む。
【００１９】
本考案を実施するとき、図７に示すように大型騒音防止カラー発光ヘッドホン４に仕込むことができ、例えば夜間にマラソンをする人間、飛行場の地上勤務の人員、トンネル工事の人員、または夜間に道路工事をする人員が暗い環境にいる時、本考案の大型騒音防止カラー発光ヘッドホン４を使用することができ、イヤーカップ自身の機能設計により、大型騒音防止カラー発光ヘッドホン４のヘッドバンド４１上にヘッドバンド警告表示灯４２，４３を設け、発光イヤーカップ４４、およびヘッドホン発光線材１３に、一定周期できらきらと光る光を発生させ、それにより周囲の人間にヘッドホン使用者の存在をはっきりと示し、他の人員との衝突等を回避することができる。
【００２０】
図１に示すように、本考案においてはヘッドホン発光線材１３内に金属粉粒１３３、またはその他の発光材、例えば金属の薄膜等、を加え、ヘッドホン発光線材１３の光源の拡散効果を増加させることができる。
【００２１】
本考案の発光部品１１２，１１３，１１４，１１５は、異なる色のLED等によって構成することができ、それにより発光時、異なる色の組み合わせが変化する発光効果を発生させる。
【００２２】
上述のように、本考案のカラー発光するヘッドホン１、および本考案の原理を運用したオーバーヘッドタイプヘッドホン２、またはバックヘッドタイプヘッドホン３は、その構造において十分にカラー発光するヘッドホン１の電子制御板１１、および発光イヤホンまたはイヤーカップ１４の制御板１１または電気回路板１４１上の電気回路制御を利用し、音源の周波数、音量の大きさ、または一定周期によって発光部品１１２，１１３，１１４，１１５、発光部品１４２が光源をヘッドホン発光線材１３、制御板透光上蓋１１６、制御板透光下蓋１１７、透光蓋体１４３、またはヘッドバンド警告表示灯４１，４２等の場所に光伝動して発光させ、使用者は、コンサートに参加する時や映像音楽装置の音声を聞く時、あるいは暗い環境において前記ヘッドホンを使用した場合、お洒落で、尚且つ周囲に存在を示すことができる。
【図面の簡単な説明】
【００２３】
【図１】本考案の実施例におけるカラー発光するヘッドホンの立体図である。
【図２】本考案の実施例におけるカラー発光するヘッドホンの制御板部分を分解し    た立体図である。
【図３】本考案の実施例におけるカラー発光するヘッドホンの電子制御板部分の立    体図である。
【図４】本考案の実施例におけるカラー発光するヘッドホンのイヤホン部分の分解    立体図である。
【図５】本考案の実施例におけるオーバーヘッドタイプカラー発光ヘッドホンの立    体図である。
【図６】本考案の実施例におけるバックヘッドタイプカラー発光ヘッドホンの立体    図である。
【図７】本考案の実施例における大型騒音防止カラー警告表示ヘッドホンの立体図    である。
【図８】本考案の制御回路のブロック図である。
【符号の説明】
【００２４】
１      カラー発光するヘッドホン
１１    制御板
１１１  チップ
１１２  発光部品
１１３  発光部品
１１４  発光部品
１１５  発光部品
１１６  制御板透光上蓋
１１７  制御板透光下蓋
１１８  電池
１２    接続端子
１３    ヘッドホン発光線材
１３１  内芯
１３２  透光材
１３３  金属粉粒
１４    発光イヤホンまたはイヤーカップ
１４１  電気回路板
１４２  発光部品
１４３  透光蓋体
１４４  スピーカー
１４５  海綿体
２      オーバーヘッドタイプヘッドホン
２３    発光イヤーカップ
３      バックヘッドタイプヘッドホン
４      大型騒音防止カラー発光イヤーカップ
４１    ヘッドバンド
４２    ヘッドバンド警告表示灯
４３    ヘッドバンド警告表示灯
４４    発光イヤーカップ
【図１】
0003103456.tif 000003
【図２】
0003103456.tif 000004
【図３】
0003103456.tif 000005
【図４】
0003103456.tif 000006
【図５】
0003103456.tif 000007
【図６】
0003103456.tif 000008
【図７】
0003103456.tif 000009
【図８】
0003103456.tif 000010